(57)【要約】      （修正有）【課題】エンジン整備スタンドにクレーンを装備し、エンジン単体を吊り上げ、そのままエンジン整備スタンド部に取付可能な構造とするクレーン付エンジン整備スタンドを提供する。【解決手段】エンジン整備スタンドに、エンジンＤを吊り上げることの出来るクレーンを装備する。該クレーンのクレーンマスト２へのピンの差し替えまたは、ロック機構の切り替えにより、ビーム４を水平のまま昇降させるか、角度を傾斜させて昇降する方法を選択可能な様に構成する。さらに、ビームを移動するトロリー８を備えるか、ビーム自体を伸縮させることによりエンジン取付部まで、スライド可能にする。また、左右方向にビームを首振り出来るクレーン付きエンジン整備スタンドとしても良い。【選択図】図１
0003178642.tif 000002
【実用新案登録請求の範囲】
【請求項１】
エンジン整備スタンドに、エンジンを吊り上げることの出来るクレーンを装備した、クレーン付きエンジン整備スタンド。
【請求項２】
請求項１に記載したクレーン付きエンジン整備スタンドであって、ピンの差し替えまたは、ロック機構の切り替えにより、ビームを水平のまま昇降させるか、角度を傾斜させて昇降する方法を選択可能な、クレーン付きエンジン整備スタンド。
【請求項３】
請求項１に記載したクレーン付きエンジン整備スタンドであって、ビームを移動するトロリーを備えるか、ビーム自体を伸縮させてエンジン取付部まで、スライド可能なクレーン付きエンジン整備スタンド。
【請求項４】
請求項１に記載したクレーン付きエンジン整備スタンドであって、左右方向にビームを首振り出来るクレーン付きエンジン整備スタンド。
【請求項５】
請求項１に記載したクレーン付きエンジン整備スタンドの、クレーン部のみを既存のエンジン整備スタンドに、溶接またはボルト締結などの手段を用いて組み合わせることで、同様の機能を実現できるエンジンクレーン。
【考案の詳細な説明】
【技術分野】
【０００１】  本考案は、自動車のエンジンを分解整備する際に、エンジン単体を固定するスタンドに関する。
【背景技術】
【０００２】  現在自動車のエンジンを分解整備する場面において、エンジン単体を、移動式のエンジン整備スタンドに、トランスミッションとの結合フランジ等を利用し、固定し分解整備を行うことが通常である。
現代の小型自動車は、ＦＦ式が主流となり、室内を広くする為に、エンジンルームは狭く、さらにボンネットの開口部も、エンジン単体を上部に吊り上げられない程、狭くなっている車両も多くみられる。
その為エンジン分解整備の際には、車両全体を整備リフトで持ち上げ、エンジンとトランスミッション及びアクスルを一体で、移動式のテーブルリフター等を用い、車両下部方向に取り外し、その後エンジン単体のみを、天井部から吊るしたチェーンブロック、または移動式のエンジンクレーンを利用し吊り上げ分離し、その後エンジンスタンドに取り付けると手法が用いられている。
従来自動車整備工場では、車両から直接エンジンを吊り上げる目的で設置されていて、チェーンブロックは全く移動しないか、Ｉビーム上をトロリーを併用し１方向のみに動く設備が大半であり、エンジン分解整備場所に設置されていないこともありがちである。
その為チェーンブロックの設置場所まで移動する必要があり、無駄な移動を強いられているのが現状である。
またエンジン専用のクレーンを併用した場合には、使用しないときでも無駄な格納スペースを必要とする。
【考案の概要】
【考案が解決しようとする課題】
【０００３】  本考案はエンジン分解整備において、配置の異なる複数の機器を使用することなく。無駄な移動を省き、作業の合理化ならびに省力化、及び工場内のスペースを有効活用することを目的とする。
【課題を解決するための手段】
【０００４】  上記の課題を解決すべく、本考案はエンジン整備スタンドにクレーンを装備し、分離しながらエンジン単体を吊り上げ、そのままエンジン整備スタンド部に取付可能な構造とするものである。
【考案の効果】
【０００５】  本考案によれば、次のような効果が期待できる。
１．車両から直接もしくは、テーブルリフターを利用して、車両から取り外した、エンジン及びトランスミッション及びアクスルから、エンジンを分離し吊り上げ、そのままエンジン整備スタンドに取り付けることが出来、無駄な移動をすることなく、時間短縮及び省力化が期待できる。
２．エンジンを吊り上げる他の設備が不要となるため、該当する機器の設備費用及び保守管理ならびに保管スペースが不要となる。
【図面の簡単な説明】
【０００６】
【図１】本考案に係るクレーン付エンジン整備スタンドを示す側面図である。
【図２】本考案に係るクレーン付エンジン整備スタンドを示す平面図である。
【考案を実施するための形態】
【０００７】  一点鎖線Ａ部は一般的なエンジン整備スタンドである。一点鎖線Ｂ部は今回の考案であるＡに装備するクレーンである。Ｃはエンジンの吊具を示し、Ｄはエンジンを示している。
マスト１とマスト２を一体構造とするか、または１の頭部にマスト２を取り外し可能な構造で差込式またはボルト等で固定する、もしくはクレーン単独のマスト２を設置した構造を持つ、クレーン付きエンジン整備スタンドである。
マスト２に油圧もしくは空気圧、または機械式の伸縮可能なジャッキ７を備え、ジャッキストロークに応じて複数のピン穴２ａを持ち、ジャッキ７の基部をマスト２の外部を囲み支持するブラケット５に、ジャッキ７が伸縮することで変化する角度に対応できる、ピン７ａで支持し、マスト２のピン穴２ａにピン穴５ａを一致させ、固定ピンを差込むことで、全体の高さを調整できる構造とする。
【０００８】  ビームブラケット６はジャッキ７の伸縮にあわせ、スムーズに移動できるようにプレートと、複数の回転するローラー６ａおよび内部のシャフトでビームブラケット６に固定され、ビーム３と支点ピン３ｂで連結される。またローラー６ａの代わりに、耐摩耗性にすぐれた摩擦係数の低い樹脂などのスライドパッドでも代用可能である。
【０００９】  ビーム３は支点ピン７ｂによりジャッキ７と連結され、ピン４ｃでビーム４と連結されている。またエンジンを分離する際に、ビーム４を横方向に振る必要もある為、左右方向のビーム首振り装置９を備える。
【００１０】  ビーム４はエンジン整備スタンドの取付部まで、前後方向にエンジンをスライドさせる為、ビーム４を回転可能なローラー８ａで内部のシャフトで連結された移動できるトロリー８を備える。またトロリー移動装置１０を備えることで、ビーム４の角度変化の場合でも、安全に支持できる構造である。他の方法としてピン穴８ｂ部をピンなどで固定することでも実現できるが、その場合はビーム４を水平な状態でのみスライド出来る。またローラー８ａ代わりに、耐摩耗性にすぐれた摩擦係数の低い樹脂などのスライドパッドでも代用可能である。またビーム自体を伸縮させることでも可能である。
【００１１】  トロリー移動装置１０は雄ねじシャフト１０ａと、トロリー８に固定されたスライド用雌ねじ金具８ｃ、及びビーム４と一体の支持金具４ａ４ｂから構成され、ハンドル１０ｂを回転することにより、スライドする構造である。
【００１２】  ビームブラケット３はピン４ｃを支点としてビーム４と連結され、首振り機構９を備える。雌ねじ金具９ｂによりビームブラケット３と連結され，ハンドル９ａを回転させることにより雄ねじ９ｃが回転し、角度を変化させることが出来る構造である。
【００１３】  また本考案のクレーンは、ビーム４をクレーンマスト２及びビームブラケット６のピン位置を変更することで、水平のまま昇降させる場合と、角度を変化させる２通りの方法で使用することが出来る。これによりジャッキ７はストロークが短くても、高い吊り上げ高さを確保でき、また上部に障害物があっても、高さを抑えて使用することが出来る構造である。
ビーム４を水平のまま昇降させる場合は、ピン穴３ｃにピンを取り付け、かつピン穴６ｂからピンを取り外すことで実現でき、またそれ以上に上昇させる必要があれば、ピン穴６ｂにピンを仮に取り付け、ピン穴５ａのピンを取り外し、ジャッキ７を縮めながら、ジャッキプレート５を上部の穴位置まで移動させ、その位置にピンで固定し、ジャッキ７を伸ばしながらピン穴６ｂのピンがフリーになった位置で取り外すことで、２の穴位置に応じた高さまで上昇させることができる。
また逆の手順で同様に降下も可能である。
ビーム４をビームブラケット６の位置を固定したまま、角度を傾斜させて、吊り上げる場合はピン穴５ａ６ｂにピンを取り付け、ピン穴３ｃのピンを取り外すことで可能となる。また連結金具などの機構を使用し、ジャッキブラケット５とビームブラケット６を一体化するなどして、動きを制限する方法でも可能である。
【実施例】
【００１４】  図１は、本考案に係るクレーン付きエンジン整備スタンドの実施例である。
【産業上の利用可能性】
【００１５】  本考案は、自動車のエンジン分解整備に利用可能である。また電気自動車の重いバッテリーを交換する際に、吊り上げ装置として利用可能である。さらに人手で持つことの出来ない重量物の運搬にも利用可能である。
【符号の説明】
【００１６】１  エンジン整備スタンドマスト
２  クレーンマスト
２ａ  ピン穴
３  ビームブラケット
３ａ  ジャッキ支点金具
３ｂ  支点ピン
３ｃ  ピン穴
４  ビーム
４ａ  スライド装置支持金具
４ｂ  スライド装置支持金具
４ｃ  支点ピン
５  ジャッキブラケット
５ａ  ピン穴
６  ビームブラケット
６ａ  ローラー
６ｂ  ピン穴
７  ジャッキ
７ａ  ピン
７ｂ  ピン
８  トロリー
８ａ  ローラー
８ｂ  ピン穴
８ｃ  スライド用雌ねじ金具
９  ビーム首振り装置
９ａ  ハンドル
９ｂ  雌ねじ金具
９ｃ  雄ねじシャフト
１０  トロリースライド装置
１０ａ  雄ねじシャフト
１０ｂ  ハンドル
【図１】
0003178642.tif 000003
【図２】
0003178642.tif 000004
【手続補正書】
【提出日】平成24年7月4日(2012.7.4)
【手続補正２】
【補正対象書類名】実用新案登録請求の範囲
【補正対象項目名】全文
【補正方法】変更
【補正の内容】
【実用新案登録請求の範囲】
【請求項１】
エンジン整備スタンドに、エンジンを吊り上げることの出来るクレーンを装備した、クレーン付きエンジン整備スタンド。
【請求項２】
請求項１に記載したクレーン付きエンジン整備スタンドであって、ピンの差し替えまたは、ロック機構の切り替えにより、ビームを水平のまま昇降させるか、角度を傾斜させて昇降する方法を選択可能な、クレーン付きエンジン整備スタンド。
【請求項３】
請求項１に記載したクレーン付きエンジン整備スタンドであって、ビームを移動するトロリーを備えるか、ビーム自体を伸縮させてエンジン取付部まで、スライド可能なクレーン付きエンジン整備スタンド。
【請求項４】
請求項１に記載したクレーン付きエンジン整備スタンドであって、左右方向にビームを首振り出来るクレーン付きエンジン整備スタンド。